(57)【要約】【課題】シュラウド壁の流路面側に生じる圧縮流体の逆流を効果的に抑制することのできる遠心圧縮機のディフューザの構成を提供する。【解決手段】遠心圧縮機におけるディフューザの構造であって、シュラウド壁９とハブ壁１１との間に形成されたディフューザ流路７の前記シュラウド壁９側の入口付近における流体の逆流を抑制するために、前記シュラウド壁９におけるディフューザ流路７の入口部分に前記ディフューザ流路７を急絞りするための凸状の絞り曲面３１を備え、この絞り曲面３１と前記シュラウド壁９における平面部１３との接続部２９における前記絞り曲面３１の径方向の接線は、前記シュラウド壁９の平面部１３とほぼ一致してあり、前記絞り曲面３１の断面形状は、円弧状を呈する曲面である。【選択図】図１
2008138626.tif 000002
【特許請求の範囲】
【請求項１】
遠心圧縮機におけるディフューザの構造であって、シュラウド壁とハブ壁との間に形成されたディフューザ流路の前記シュラウド壁側の入口付近における流体の逆流を抑制するために、前記シュラウド壁におけるディフューザ流路の入口部分に前記ディフューザ流路を急絞りするための凸状の絞り曲面を備え、この絞り曲面と前記シュラウド壁における平面部との接続部における前記絞り曲面の径方向の接線は、前記シュラウド壁の平面部とほぼ一致してあることを特徴とする遠心圧縮機におけるディフューザの構造。
【請求項２】
請求項１に記載の遠心圧縮機におけるディフューザの構造において、前記絞り曲面の断面形状は、円弧状を呈する曲面であることを特徴とする遠心圧縮機におけるディフューザの構造。
【請求項３】
請求項１に記載の遠心圧縮機におけるディフューザの構造において、前記絞り曲面の断面形状は、前記ディフューザ流路の入口側の曲率よりも前記シュラウド壁の平面部との接続部側の曲率が小さいことを特徴とする遠心圧縮機におけるディフューザの構造。
【請求項４】
請求項１に記載の遠心圧縮機におけるディフューザの構造において、前記絞り曲面は複数の平面を連続的に接続した構成であって、全体として凸状の曲面に形成してあることを特徴とする遠心圧縮機におけるディフューザの構造。
【請求項５】
請求項１，３又は４に記載の遠心圧縮機におけるディフューザの構造において、前記絞り曲面の断面形状において当該絞り曲面の始点と終点とを結ぶ直線から前記絞り曲面までの距離が最大である部分は、前記直線の中間点よりも前記ディフューザ流路の入口側である前記始点側に偏在した位置にあることを特徴とする遠心圧縮機におけるディフューザの構造。
【請求項６】
請求項１〜５のいずれかに記載の遠心圧縮機におけるディフューザの構造において、前記ディフューザ流路高さが羽根車出口翼高さ比で０．５〜１．０であり、ディフューザ平行壁の開始位置が羽根車外径比で１．０５〜１．５であることを特徴とする遠心圧縮機におけるディフューザの構造。
【発明の詳細な説明】
【技術分野】
【０００１】
本発明は遠心圧縮機におけるディフューザの構造に係り、さらに詳細には、ディフューザ流路のシュラウド壁側の入口付近における流体の逆流を効果的に抑制することのできるディフューザの構造に関する。
【背景技術】
【０００２】
流体を圧縮するための遠心圧縮機として、例えばターボチャージャーにおけるコンプレッサ等が知られている。この種の遠心圧縮機は、よく知られているように、ハウジング（ケーシング）内には、複数の羽根を備えたインペラが回転自在に備えられており、前記インペラの周囲のケーシングには、当該インペラの回転によって放射外方向へ流動される圧縮流体の動圧を静圧に変換するディフューザ流路が備えられている。このディフューザ流路は、前記ケーシングに備えられたシュラウド壁面とハブ壁面との間に形成されている。前記シュラウド壁面とハブ壁面との対向面は環状であってかつ平面に形成してあるのが一般的である。
【０００３】
上記構成において、前記インペラを回転して圧縮流体を前記ディフューザ流路に導入するとき、ディフューザ流路の入口付近であってシュラウド壁面には圧縮流体の流れに逆流が生じやすく、またシュラウド壁面からの圧縮流体の剥離が生じやすいことが知られている。そこで、上記剥離を抑制するために、前記ディフューザ流路の入口にテーパ状の絞りを形成し、圧縮流体を増速して前記剥離を抑制することが行われている（例えば特許文献１，２参照）。
【特許文献１】特開昭５６−６０８９９号公報
【特許文献２】特開平５−３４０３９６号公報
【発明の開示】
【発明が解決しようとする課題】
【０００４】
前記特許文献１，２に記載の構成においては、前記テーパ状の絞りの面は、断面形状で見ると直線を呈するものである。したがって、前記ディフューザ流路へ導入される圧縮流体を、ディフューザ流路の入口付近において増速し整流して、シュラウド壁面からの圧縮流体の剥離を抑制する効果がある。しかし、前記ディフューザ流路は前記インペラから放射方向に拡大する流路であるから、前記テーパ状の絞り面は、放射外方向ほどディフューザに対向する面積が大きくなるものであり、大きな絞り効果を得るには、テーパ状の絞り面の傾斜を急勾配にする必要がある。しかし、絞り面を急勾配に形成すると、ディフューザ流路を形成するシュラウド壁面，ハブ壁面と前記絞り面との接続部に不連続が生じるという問題があった。
【課題を解決するための手段】
【０００５】
本発明は、前述のごとき問題に鑑みてなされたもので、遠心圧縮機におけるディフューザの構造であって、シュラウド壁とハブ壁との間に形成されたディフューザ流路の前記シュラウド壁側の入口付近における流体の逆流を抑制するために、前記シュラウド壁におけるディフューザ流路の入口部分に前記ディフューザ流路を急絞りするための凸状の絞り曲面を備え、この絞り曲面と前記シュラウド壁における平面部との接続部における前記絞り曲面の径方向の接線は、前記シュラウド壁の平面部とほぼ一致してあることを特徴とするものである。
【０００６】
また、前記遠心圧縮機におけるディフューザの構造において、前記絞り曲面の断面形状は、円弧状を呈する曲面であることを特徴とするものである。
【０００７】
また、前記遠心圧縮機におけるディフューザの構造において、前記絞り曲面の断面形状は、前記ディフューザ流路の入口側の曲率よりも前記シュラウド壁の平面部との接続部側の曲率が小さいことを特徴とするものである。
【０００８】
また、前記遠心圧縮機におけるディフューザの構造において、前記絞り曲面は複数の平面を連続的に接続した構成であって、全体として凸状の曲面に形成してあることを特徴とするものである。
【０００９】
また、前記遠心圧縮機におけるディフューザの構造において、前記絞り曲面の断面形状において当該絞り曲面の始点と終点とを結ぶ直線から前記絞り曲面までの距離が最大である部分は、前記直線の中間点よりも前記ディフューザ流路の入口側である前記始点側に偏在した位置にあることを特徴とするものである。
【００１０】
また、前記遠心圧縮機におけるディフューザの構造において、前記ディフューザ流路高さが羽根車出口翼高さ比で０．５〜１．０であり、ディフューザ平行壁の開始位置が羽根車外径比で１．０５〜１．５であることを特徴とするものである。
【発明の効果】
【００１１】
本発明によれば、インペラの回転によって放射外方向へ流動されてディフューザ流路内へ流入する圧縮流体は、ディフューザ流路の入口部分に備えた凸状の絞り曲面によって急激に絞られて増速し整流されるのでシュラウド壁面においての圧縮流体の逆流を効果的に抑制することができるものである。すなわち、凸状の絞り曲面であることにより、従来のテーパ状の絞り面に比較して絞りが急激に行われるものである。そして、凸状の絞り曲面とシュラウド壁面の平面部は連続した接続であるから、圧縮されて高速の流体の流れに悪影響を与えるようなことがなく、前記逆流をより効果的に抑制することができるものである。
【発明を実施するための最良の形態】
【００１２】
以下、図面を用いて本発明の実施形態について説明する。例えばターボチャージャーにおけるコンプレッサ等として知られる遠心圧縮機の全体的構成は公知であるから、遠心圧縮機の全体的構成についての説明は省略して、主要部の構成について説明する。
【００１３】
図１を参照するに、遠心圧縮機（全体的構成は図示省略）におけるケーシング（ハウジング）１内には、複数の羽根３を備えたインペラ５が回転自在に備えられている。なお、インペラ５の構成は従来の遠心圧縮機におけるインペラの構成と同様の構成であるから、インペラ５の構成についての詳細な説明は省略する。このインペラ５の周囲の前記ケーシング１には、当該インペラ５の回転によって放射外方向へ流動される圧縮流体の動圧を静圧に変換するディフューザ流路７が備えられている。
【００１４】
このディフューザ流路７は放射方向に拡大する流路であって、前記ケーシング１に備えたシュラウド壁９とハブ壁１１との間に形成されている。前記シュラウド壁９とハブ壁１１とが互いに対向したそれぞれの流路面１３，１５はそれぞれ環状の平面に形成してあり、かつ互いに平行な平面である。そして、上記流路面１３，１５の間に前記ディフューザ流路７が形成されている。
【００１５】
前記ハブ壁１１における前記流路面１５は、前記インペラ５における円板状の心板１７の内面１７Ｆとほぼ同一平面に形成してある。したがって、前記インペラ５の回転によって前記内面１７Ｆに沿って放射外方向へ流動される圧縮流体は、前記ハブ壁１１の流路面１５に沿って円滑に流動するものである。
【００１６】
前記シュラウド壁９において前記羽根３に対向した羽根対向面１９は羽根３の先端辺２１の曲線に倣った曲面に形成してあり、この羽根対向面１９と羽根３との間には微小間隙２３が形成してある。そして、前記羽根対向面１９の外周縁は前記羽根３の出口先端部２５に対応した先端部対応位置２７に一致しており、この先端部対応位置２７と前記シュラウド壁９における流路面１３の内周縁２９との間には凸状の絞り曲面３１が形成してある。
【００１７】
前記絞り曲面３１は、前記羽根３の出口先端部２５付近から放射外方向に拡大した前記ディフューザ流路７を急激に絞る機能を奏するものである。この絞り曲面３１は、断面形状で示すと、図１に示すように、前記先端部対応位置２７側を始点とし、前記内周縁２９側を終点とした場合に、上記始点と終点とを結ぶ直線Ｌ（テーパ面）よりも内方向（ディフューザ流路７を絞る方向）へ突出した凸状の曲面に形成してある。
【００１８】
そして、図１に示す実施形態においては、前記絞り曲面３１は半径が一定の円弧状の凸曲面で表わしてあり、この絞り曲面３１と前記シュラウド壁１３の流路面（平面）１３との接続部である前記内周縁２９においての、絞り曲面３１の放射方向の接線は前記流路面１３とほぼ一致してある。
【００１９】
既に理解されるように、前記ディフューザ流路７の流路高さＨ１（シュラウド壁９の流路面１３とハブ壁１１の流路面１５との間隔高さ）は、羽根車出口翼高さＨ２（羽根３における出口先端部２５の高さ）以下であり、その比は０．５〜１．０の範囲に設定してある。また、前記シュラウド壁９における流路面１３の内周縁２９の位置は、インペラ５の外径比で１．０５〜１．５の間に設定してある。
【００２０】
ところで、前記流路高さＨ１と羽根車高さＨ２との比が「１」の場合は、前記微小間隙２３の分を急絞りする構成となる。
【００２１】
以上のごとき構成において、前記インペラ５を回転すると、圧縮流体が放射外方向に流動されて前記ディフューザ流路７に流入することになる。この際、インペラ５に備えた羽根３の先端辺２１とシュラウド壁９における羽根対向面１９との間には微小間隙２３が存在するので、この微小間隙２３内の流体は、羽根３の回転によって放射外方向に流動される圧縮流体の流動に対して遅れる流動であって、圧縮流体の全体的な流動方向に見て相対的に逆流した流れとなり損失の原因になる。
【００２２】
そこで、前記逆流を制御するには、ディフューザ流路７の入口部に絞り流路を形成して、圧縮流体を絞って増速することが行われている。特にディフューザ流路７の入口部のシュラウド壁９側近傍の流れを局所的に大きく増速することが行われている。ここで、絞り流路の構成が前記直線Ｌで示されるテーパ面の場合と、絞り流路の構成が前記絞り曲面３１で示される構成の場合とについて流れを計算し、速度分布をシュミレーションした結果は、図２（Ａ），（Ｂ）に示すとおりであった。図中、矢印の方向は流体の流れ方向を示し、長さは流速を示す。インペラ５に備えた羽根３の出口先端部２５の位置に至るまでは、図２（Ａ），（Ｂ）に示すように、微小間隙２３に相当する部分においては圧縮流体の逆流が同様に生じている。
【００２３】
ここで、図２（Ｂ）より明らかなように、絞り曲面３１の部分においては、ディフューザ流路７が急激に絞られて圧縮流体の流速が増速されて整流されるので、前記出口先端部２５の位置から寸法Ａの短い範囲において前記逆流が速やかに抑制されている。これに対し、図２（Ａ）より明らかなように、前記直線Ｌで示されるテーパ面による絞り流路の場合には、ディフューザ流路７の入口の絞りは、前記絞り曲面３１の場合に比較して緩やかであり、前記逆流が抑制されるには、前記出口先端部２５の位置から寸法Ｂであって、前記寸法Ａよりもかなり大きな寸法である。
【００２４】
上記構成により、ディフューザ流路７内においてシュラウド壁９の流路面１３に生じる圧縮流体の相対的な逆流を速やかに抑制するには、断面形状で直線Ｌで表わされる場合よりも凸状の絞り曲面３１で表わされる場合の方が効果的であることがわかる。したがって、絞り流路が図２（Ａ）で示されるテーパ面の場合よりも、図２（Ｂ）で示される絞り曲面３１の場合の方が損失が小さくなるものである。なお、絞り曲面３１の曲率は、圧縮流体の流量変化や流速変化などの条件によって異なるもので、使用条件によって適正な曲率を実験的に選択することが望ましいものである。
【００２５】
図３は第２の実施形態を示すもので、この実施形態においては、前記絞り曲面３１の断面形状は、前記ディフューザ流路７の入口側の曲面３１Ａの曲率よりも、前記シュラウド壁９の前記流路面（平面部）１３との接続部側の曲面３１Ｂの曲率を小さく設定してある。この構成においては、前記曲面３１Ａによってディフューザ流路７の入口部分が急激に絞られるので、前述した実施形態と同様の効果を奏し得るものである。既に理解されるように、絞り曲面３１の構成としては、曲率の異なる複数の曲面を連続的に接続した構成としてもよいものである。
【００２６】
図４は第３の実施形態を示すもので、前記絞り曲面３１の構成として、複数の平面を連続的に接続した構成であって全体として凸状の曲面に形成してある。この構成においても、前記ディフューザ流路７の入口部分が急激に絞られるように、形成してあり、前述した実施形態と同様の効果を奏し得るものである。
【００２７】
ところで、図１に示した構成においては、始点としての先端部対応位置２７と終点としての内周縁２９とを結ぶ直線Ｌから前記絞り曲面３１までの距離が最大である部分は、前記先端部対応位置２７と内周縁２９との中間点の位置である。しかし、図３，図４に示した実施形態においては、ディフューザ流路７の入口側の曲面の曲率を、シュラウド壁９の流路面１３側の曲面の曲率より大きく設定してあるので、前記距離が最大である部分は、前記先端部対応位置２７と前記内周縁２９との中間位置よりも、ディフューザ流路７の入口側、すなわち前記先端部対応位置２７側に偏在しているものである。したがって、図３，図４に示す実施形態においては、図１に示した実施形態の場合よりもディフューザ流路７の入口の絞りがより急激であり、前記逆流の抑制がより効果的に行われ得るものである。
【図面の簡単な説明】
【００２８】
【図１】本発明の実施形態に係るディフューザの構成を示す断面説明図である。
【図２】圧縮流体の流れをシュミレーションによって示した逆流抑制の説明図である。
【図３】本発明の第２の実施形態に係るディフューザの構成を示す断面説明図である。
【図４】本発明の第３の実施形態に係るディフューザの構成を示す断面説明図である。
【符号の説明】
【００２９】
３    羽根
５    インペラ
７    ディフューザ流路
９    シュラウド壁
１１    ハブ壁
１３，１５    流路面
３１    絞り曲面
【図１】
2008138626.tif 000003
【図２】
2008138626.tif 000004
【図３】
2008138626.tif 000005
【図４】
2008138626.tif 000006